(57)【要約】【課題】ノンデッド機構を有する復帰機構の取扱い性を向上すると共に省スペース化を図り、リール本体の小型化が図れる魚釣用スピニングリールを提供する。【解決手段】魚釣用スピニングリールは、釣糸案内部を介してスプール３に釣糸を巻回案内するロータ２と、スプール３の回転を規制する規制状態とスプールフリーにするフリー状態とに切換え操作可能な操作部材３１を備えた切換機構３０と、スプールフリー状態にある切換機構３０を、ハンドル５の巻取り操作によって規制状態に復帰させる復帰機構６０とを有する。復帰機構６０は、ハンドルの回転操作に連動して回転するハンドル軸４と、ハンドル軸４に対し所定角度回転可能に支持され、操作部材３１の操作で作動する作動体３６の一側部が係合するキック部材６１と、ハンドル軸４とキック部材６１との間に設けられ、キック部材を回転方向にバネ付勢するバネ部材６３とを具備したユニット体を有する。【選択図】図１
2008289387.tif 000002
【特許請求の範囲】
【請求項１】
リール本体の前部に設けられ、釣糸が巻回されるスプールと、
前記リール本体に回転自在に支持されたハンドルの巻取り操作で回転する駆動歯車と噛合するピニオンギヤを介して回転可能であり、釣糸案内部を介して前記スプールに釣糸を巻回案内するロータと、
前記スプールの回転を規制する規制状態とスプールフリーにするフリー状態とに切換え操作可能な操作部材を備えた切換機構と、
スプールフリー状態にある前記切換機構を、前記ハンドルの巻取り操作によって規制状態に復帰させる復帰機構と、
を有する魚釣用スピニングリールにおいて、
前記復帰機構は、前記ハンドルの回転操作に連動して回転する回転部材と、この回転部材に対し所定角度回転可能に支持され、前記操作部材の操作で作動する作動体の一側部に係合するキック部材と、前記回転部材とキック部材との間に設けられ、前記キック部材を回転方向にバネ付勢するバネ部材とを具備したユニット体を有することを特徴とする魚釣用スピニングリール。
【請求項２】
前記ユニット体は、前記バネ部材を、前記回転部材に装着支持されたキック部材との間で外部に露出しないように設けていることを特徴とする魚釣用スピニングリール。
【発明の詳細な説明】
【技術分野】
【０００１】
本発明は、スプールに回転抵抗を与えるドラグ機構を、作動状態と非作動状態とに切換える切換え機構を備えた魚釣用スピニングリールに関する。
【背景技術】
【０００２】
魚釣用スピニングリールの中には、リール本体内に、スプールに回転抵抗を与えるドラグ機構を、作動状態（スプールに対してドラグ力が作用する状態）と、非作動状態（スプールが完全にフリーになる状態とサブドラグ機構によってドラグ力が作用する状態を含む）とに切換える切換機構を備えたものが知られている。例えば、特許文献１には、リール本体の上部の前後方向に向けて回動可能に支持した切換えレバーを操作することで、ドラグ機構を作動状態／非作動状態に切換操作できる魚釣用スピニングリールが開示されている。そして、このような切換機構には、ハンドルを巻取り操作した際、非作動状態から作動状態に自動的に復帰できる復帰機構が係合している。
【０００３】
上記した特許文献１に開示されている復帰機構は、ハンドル軸の端部（フェースギヤの歯面側）にカムホイールを固定した状態で、フェースギヤから離れた位置（フェースギヤ歯面側のハンドル軸端部の比較的空いたスペース）に設置してあり、これによりリール本体の小型化を図るようにしている。
【０００４】
ところで、上記した復帰機構は、ハンドルの巻取り操作によって、自動的に切換えレバーを初期位置（ドラグ機構の作動状態位置）に復帰させる機構であり、ハンドルの巻取り操作によってその巻取り操作と共に回転する部材（キック部材）を係合部材に当て付けて（キックする）、切換えレバーを初期位置に戻す構成となっている。このため、ハンドルの位置によっては、デッドポイントによって、切換えレバーを上記した作動状態（初期位置）から非作動状態に切換え操作できなくなる可能性が生じる、という不都合がある。
【０００５】
上記した特許文献１に開示されている復帰機構は、ノンデッド機構を組み込んでおり、切換えレバーが作動できなくなる状態を回避するようにしている。具体的には、ハンドル軸の端部に固定されるカムホイール（キック部材）４２に対して、バネ（第２トグルばね）６０によって付勢された揺動可能なカムフォロワ（係合部材）５８を係合させるようにしている。すなわち、バネ６０によって揺動可能なカムフォロワ５８を設置し、これをハンドル軸１２に固定されたカムホイール４２の回転軌跡内に向けて付勢支持することで、カムホイール４２に対してデットポイントを生じさせることなく、上記した復帰機構を構成している。
【特許文献１】特許第３５４２２８４号
【発明の開示】
【発明が解決しようとする課題】
【０００６】
しかし、上記した特許文献１に開示されている復帰機構は、バネ６０の一端をリール本体の底部に係止し、バネの他端をバネ力に抗する状態でカムフォロワに係止する作業を、ギヤボックスを構成するリール本体内の狭いスペース内で行う必要があり、復帰機構の組み込み作業性が悪いという問題がある。
【０００７】
また、このようなカムフォロワとバネ等の装着スペースがリール本体内側に必要となることにより、リール全体を小型化するには限界がある。
【０００８】
本発明は、上記した問題に基づいてなされたものであり、ノンデッド機構を有する復帰機構の取扱い性を向上すると共に省スペース化を図り、リール本体の小型化が図れる魚釣用スピニングリールを提供することを目的とする。
【課題を解決するための手段】
【０００９】
上記した目的を達成するために、本発明に係る魚釣用スピニングリールは、リール本体の前部に設けられ、釣糸が巻回されるスプールと、前記リール本体に回転自在に支持されたハンドルの巻取り操作で回転する駆動歯車と噛合するピニオンギヤを介して回転可能であり、釣糸案内部を介して前記スプールに釣糸を巻回案内するロータと、前記スプールの回転を規制する規制状態とスプールフリーにするフリー状態とに切換え操作可能な操作部材を備えた切換機構と、スプールフリー状態にある前記切換機構を、前記ハンドルの巻取り操作によって規制状態に復帰させる復帰機構と、を有しており、前記復帰機構は、前記ハンドルの回転操作に連動して回転する回転部材と、この回転部材に対し所定角度回転可能に支持され、前記操作部材の操作で作動する作動体の一側部に係合するキック部材と、前記回転部材とキック部材との間に設けられ、前記キック部材を回転方向にバネ付勢するバネ部材とを具備したユニット体を有することを特徴とする。
【００１０】
上記した構成における魚釣用スピニングリールでは、キック部材は、回転部材に対して固定されるのではなく、回転方向にバネ付勢された状態で、所定角度回転可能に支持されることから、キック部材によってキックされる作動体は、デッドポイントが生じることなく、キック部材の回転軌跡内に入り込むことが可能となる。このノンデッド機構を構成する部品は、回転部材と共にユニット化された構成となっていることから、リール本体内へ組み込みする際の作業性の向上が図れ、かつハンドルの回転操作に連動して回転する回転部材上に集約して配置された状態になるため、ノンデッド機構の可及的な省スペース化が可能となり、リール本体を小型化することが可能となる。
【発明の効果】
【００１１】
本発明によれば、ノンデッド機構を有する復帰機構の取扱い性が向上すると共に省スペース化が図れ、リール本体の小型化が図れる魚釣用スピニングリールが得られる。
【発明を実施するための最良の形態】
【００１２】
以下、本発明に係る魚釣用スピニングリールの実施形態について、添付図面を参照して具体的に説明する。
【００１３】
図１から図６は、本発明の第１の実施形態を示す図であり、図１は、魚釣用スピニングリールの内部構成を示す図（ドラグ作動状態；切換えレバーＯＮ）、図２は、図１の主要部を拡大した図（ドラグ非作動状態；切換えレバーＯＦＦ）、図３は、リール本体を上方から見た部分断面図、図４は、図２のＡ−Ａ方向に沿った部分断面図、図５は、図４の主要部を示す図であり、ユニット化された復帰機構の構成を示す図、そして、図６は、図１のＢ−Ｂ方向に沿った部分断面図である。
【００１４】
魚釣用スピニングリールのリール本体１には、釣竿に装着されるリール脚１Ａが一体形成されており、その前方には、釣糸案内部（図示せず）を備え、回転可能に支持されたロータ２と、ロータ２の回転運動と同期して前後動可能に支持され、釣り糸が巻回されるスプール３が配設されている。
【００１５】
リール本体１内には、回転部材（ハンドル軸；駆動軸）４が回転可能に支持されており、その突出端部には、ハンドル５が取り付けられている。また、ハンドル軸４には、巻取り駆動機構が係合しており、この巻取り駆動機構は、ハンドル軸４に取り付けられ、内歯が形成された駆動歯車（フェースギヤ）７と、この駆動歯車７に噛合すると共にハンドル軸４と直交する方向に延出し、内部に軸方向に延出する空洞部が形成されたピニオン９とを備えている。
【００１６】
なお、本実施形態では、図４に示すように、ハンドル５は、左右両側に装着可能となっており、公知のように、その突設した外周非円形の軸５ａが、フェースギヤ７と一体化されて軸５ａと一体回転する内周非円形の空洞軸に回り止め嵌入された構成となっている。ここでは、そのようなフェースギヤ７が一体化された空洞軸をハンドルの回転操作に連動して回転する回転部材（ハンドル軸）４と称する。
【００１７】
前記ピニオン９は、軸受９ａを介してリール本体内に回転可能に支持されており、前記ロータ２を一体回転するように連結されている。そして、その空洞部には、ハンドル軸４と直交する方向に延出し、先端側に前記スプール３を装着したスプール軸３ａが軸方向に移動可能に挿通されている。また、前記ピニオン９には、スプール３（スプール軸３ａ）を前後往復動させるための公知の往復動装置１０が係合している。
【００１８】
前記往復動装置１０は、リール本体内に回転可能に支持され、スプール軸３ａと平行に延出する螺軸（ウォームシャフト）１２と、前記スプール軸３ａの後部に回転可能で軸方向移動不能に係合される摺動体１３とを備えている。前記螺軸１２の端部には、前記ピニオン９と噛合するオシレートギヤ１５が設けられており、前記ハンドル５を回転操作することで、螺軸１２は、前記駆動歯車７、ピニオン９及びオシレートギヤ１５を介して回転駆動される。そして、前記螺軸１２の周面には、軸方向に沿って螺旋状のカム溝１２ａが形成されており、このカム溝１２ａに、前記摺動体１３に収容保持された係合ピン（図示せず）が係合することで、スプール軸３ａ（スプール３）は、ハンドル５の巻取り操作により前後に往復動される。
【００１９】
上記した構成により、ハンドル５を巻取り操作すると、ロータ２は、駆動歯車７及びピニオン９を介して回転駆動され、かつ、スプール３は、駆動歯車７、ピニオン９及び往復動装置１０を介して前後方向に往復駆動され、スプール３には、回転するロータ２の釣糸案内部を介して均等に釣り糸が巻回される。
【００２０】
前記スプール３とスプール軸３ａとの間には、図示しないがスプールの回転に制動力を付与する公知のドラグ機構（フロントドラグ機構）１７が設置されている。また、スプール軸３ａの後端側には、サブドラグ機構２０が設置されており、後述する切換機構によって、スプール３がフリー状態（スプール軸３ａがフリーに回転する状態）になったとき、補助的にスプール軸３ａに対して制動力（ドラグ力）を付与できるようになっている。
【００２１】
具体的には、前記サブドラグ機構２０は、リール本体１の後端部に突出形成された円筒部１ａに対して回転操作される調節ネジ２１と、調節ネジ２１の回転操作に伴う軸方向の移動により、押圧バネ２２を介して所定の制動力を付与可能にする制動部材２３とを備えている。前記スプール軸３ａの後端側には、スプール軸３ａの後部の非円形部を軸方向移動可能に回り止め嵌合した状態で挿通させるカラー２４が配置されており、前記制動部材２３は、リール本体１及びカラー２４との間で制動力を作用させ、スプール軸３ａが切換機構によってフリー回転可能な状態になったときでも、調節ネジ２１を回転操作することで、スプール３の回転に補助的に制動力を作用させることが可能となっている。
【００２２】
前記リール本体１内には、スプール３の回転を規制する規制状態とスプールフリーにするフリー状態とに切換える切換機構３０、及びスプールフリー状態にある切換機構３０をハンドル５の巻取り操作によって規制状態に復帰させる復帰機構６０が設けられている。以下、これらの機構について説明する。なお、本実施形態における「スプールの規制状態」とは、スプール軸３ａの回転が阻止されて、スプール軸３ａとドラグ機構１７との間で所望のドラグ力が作用する状態やスプールロック状態を意味し、「スプールフリー状態」とは、スプール軸３ａが自由回転状態になったことを意味する。従って、スプールフリー状態には、サブドラグ機構２０によって、スプールに対して小さな回転抵抗が加わった状態を含む。
【００２３】
前記切換機構３０は、リール本体１から外部に突出し、回動操作可能な切換レバー（操作部材）３１と、リール本体１内に配設され、切換レバー３１によって回動駆動される作動体３２と、作動体３２の一端側に係合するストッパ部材３４と、他端側に係合し、後述する復帰機構のキック部材によってキックされる係合部材（キックプレートとも称する）３６とを備えている。
【００２４】
前記切換レバー３１は、図３に示すように、リール本体１の上方側を挟持するように配設され、基端部の両側から一対の固定ネジ３１ａによってリール本体１に回動可能に支持されている。前記一対の固定ネジ３１ａは、両サイドからリール本体内に向けて挿入されており、作動体３２に連結されている。この作動体３２は、固定ネジ３１ａを中心として両側が揺動する形状に構成されており、リール本体１との間に装着される振分けバネ３７によって、図１に示す切換えレバーＯＮ状態と、図２に示す切換えレバーＯＦＦ状態に振分け保持されるようになっている。
【００２５】
前記作動体３２の一端側３２ａには、ストッパ部材３４が係合可能に設置されている。このストッパ部材３４は、支軸３８を中心として回動可能に軸支されており、一端側に前記作動体３２が当接する当接部３４ａが形成され、他端側に、スプール軸３ａに対して回り止め固定されたラチェット３ｂに対して係脱される係脱部３４ｂが形成されている（図１、図２、図６参照）。
【００２６】
なお、ストッパ部材３４は、支軸３８に装着されるスプリング３８ａによって、係脱部３４ｂが常時、ラチェット３ｂと係合するように付勢されており、前記切換レバー３１をＯＦＦ状態に回動することで、前記作動体３２によって、スプリング３８ａの付勢力に抗して回動され、ラチェット３ｂから離脱する（図２参照）。
【００２７】
前記作動体３２の他端側３２ｂには、係合部材（切換えレバー３１の操作で作動する作動体として機能する）３６が係合可能に設置されており、この係合部材３６は、支軸４０によって、リール本体１に回動可能に支持されている。そして、この係合部材３６は、後述するキック部材の回転軌跡内に入り込んで、ハンドル５の巻取り操作によって、前記切換えレバー３１（切換機構３０）を自動的にスプール３の回転を規制する規制状態に復帰させる復帰機構６０としての機能を備えている。
【００２８】
前記係合部材３６は、基本的には、支軸４０によって回動可能に支持され、前記作動体３２がＯＦＦ状態に回動された際、その一端側が作動体３２によって回動され、他端側が復帰機構６０を構成するキック部材６１の回転軌跡内に入り込む構成であれば良い。
【００２９】
ただし、本実施形態の構成では、係合部材３６は、ロータ２のフリー回転状態を考慮して、複数の部材によって構成されている。通常、ロータ２は、釣糸巻取り状態に回転可能となっているが、公知の逆転防止機構のレバーを操作することで、逆回転することも可能となっている。上記した切換機構３０が図２に示すスプールフリー状態に切換えられ、かつこの状態でロータ２が逆回転可能な状態になっていると、実釣時に魚が掛かった際に、不都合が生じる可能性がある。すなわち、魚が掛かって釣糸を引き出して行くと、ハンドル軸４は、図２において時計回り方向に回転し、キック部材６１も時計回り方向に回転して係合部材３６に当接して、その配置態様により回転できない状態になる可能性がある。このため、キック部材６１がハンドルの巻取り方向（反時計回り方向）ではない時計回り方向に回転した際、キック部材６１が係合部材３６に当接しても逃げることができるように、係合部材３６は複数の部材３６Ａ，３６Ｂによって構成されている。
【００３０】
以下、複数の部材３６Ａ，３６Ｂによって構成される係合部材３６、及び復帰機構６０の構成について説明する。
【００３１】
係合部材３６は、図１、図２及び図４に示すように、リール本体１に対して支軸４０（固定ネジ）によって固定されるカラー４１の外周に回転可能に支持される２枚のプレート（作動体側プレート３６Ａ，キック側プレート３６Ｂ）を備えている。
【００３２】
この内、作動体側プレート３６Ａは、支軸４０を基端として作動体３２側に延出する形状となっており、先端側が図４に示すように駆動歯車７側に向けて高くなるように形成されて、この部分の下縁部に前記作動体３２の他端側３２ｂが当接するようになっている。また、図１に示す状態において、作動体側プレート３６Ａの下縁部はリール本体１に設けられたボス１ｃに当て付いて時計回り方向の回転が規制されている。さらに、その上縁部には、キック側プレート３６Ｂに突設形成された突起３６ａが当接している。
【００３３】
一方、キック側プレート３６Ｂは、支軸４０を中心として、両端が揺動する形状となっており、一端側には、前記したように、作動体側プレート３６Ａの上縁部に当て付く突起３６ａが形成されている。また、他端側には、支軸４０を中心として回動された際、後述するキック部材６１の回転軌跡内に入り込む係合部３６ｂが形成されている。そして、このキック側プレート３６Ｂには、前記リール本体１のボス１ｃとの間で付勢バネ３６ｃが支軸４０に巻き付くように設置されており、キック側プレート３６Ｂを、常時、図１に示す状態において、時計回り方向に付勢しており、前記突起３６ａを作動体側プレート３６Ａの上縁部に当て付け付勢している。なお、このキック側プレート３６Ｂは、図１に示す切換機構がＯＮの状態では、係合部３６ｂは、キック部材６１の回転軌跡に入り込まない位置となっている。
【００３４】
そして、前記キック側プレート３６Ｂの係合部３６ｂをキックするキック部材６１は、本実施形態の構成では、回転部材（ハンドル軸）４の部分に設置されている。キック部材６１は、ハンドル軸４の中心を回転中心とし、かつハンドル軸４に対して所定角度回転可能に支持されており、実際に係合部３６ｂをキックすべく複数（１つでも良い）の突起６１ａを備えている。この場合、突起６１ａは、略１２０°間隔をおいて３箇所形成されており、各突起には、係合部３６ｂが回動した際、回転軌跡内に入り込みやすいように、傾斜面６１ｂが形成されている。
【００３５】
前記ハンドル軸４の外周には、キック部材６１を所定の角度回転可能にする規制部（度当て）４ａが２箇所突出形成されている。また、キック部材６１の内周には、円弧状の規制部６１ｃと、前記ハンドル軸に形成された２つの規制部４ａ間に突出する突部６１ｄが形成されており、規制部４ａ、及び規制部６１ｃ、突部６１ｄが互いに当接することで、キック部材６１は、ハンドル軸４に対して所定の角度回転可能に支持されている。
【００３６】
そして、ハンドル軸４の外周とキック部材６１の内周との間の隙間には、規制部４ａと突部６１ｄとの間で付勢バネ６３が介在されており、キック部材６１を回転方向（図１、図２において反時計回り方向）にバネ付勢している。
【００３７】
すなわち、本発明においては、キック部材６１は、ハンドル５の回転操作に連動して回転する回転部材（本実施形態では、ハンドル軸４とされる）の支持部の中心を回転中心として、所定角度回転可能に支持されており、かつ、回転方向にバネ付勢された状態となっている。
【００３８】
図５に示すように、前記ハンドル軸４である回転部材は、その回転部材に所定角度回転可能に支持され、前記作動体（キック側プレート３６Ｂの係合部３６ｂ）の一側部が係合するキック部材６１、及び回転部材とキック部材との間に設けられ、キック部材６１を回転方向にバネ付勢する付勢バネ６３と共に、予めユニット体Ｕとして構成されている。具体的に、このユニット体Ｕは、駆動歯車７と共に回転部材４を一体形成する際、復帰機構を構成するキック部材等の設置位置に対応して、前記規制部４ａ、及びフランジ４ｆを一体形成しておき、この部分に対して、付勢バネ６３及びキック部材６１を、図５の矢印方向から挿入、設置し、止め輪４ｇによって抜け止めすることで構成されている。
【００３９】
また、上記した構成のユニット体Ｕは、図５に示すように、付勢バネ６３は、ハンドル軸４とキック部材６１との間で、外部に露出しないように組み込まれている。
【００４０】
以上のように構成される魚釣用スピニングリールの作用について説明する。
【００４１】
最初、図１に示すように切換機構３０がＯＮの状態となっている。この状態では、ストッパ部材３４は、ラチェット３ｂに係合しているため、スプール軸３ａは固定状態となっており、スプール３には、フロントドラグ機構１７を介して所望のドラグ力が作用した状態となる。
【００４２】
図１に示す状態から切換えレバー３１を矢印方向に回動操作すると、作動体３２は、固定ネジ３１ａを中心として回動し、図２に示すように、その一端側３２ａはストッパ部材３４の当接部３４ａに当接し、ストッパ部材３４をスプリング３８ａの付勢力に抗して反時計回り方向に回動させる。これにより、他端に形成された係脱部３４ｂは、スプール軸３ａに対して回り止め固定されたラチェット３ｂから離脱し、スプール軸３ａは、フリー回転可能な状態になる。
【００４３】
この状態で、スプール３は完全なフリー状態となるため、魚が掛かった際、そのまま釣糸を引き出して行くことが可能となる。なお、この状態では、上記したサブドラグ機構２０の調節ネジ２１を回転操作することで、スプール３の回転に対して補助的にドラグ力を作用させることが可能となっている。
【００４４】
一方、切換えレバー３１の回動操作によって作動体３２の他端側３２ｂは、作動体側プレート３６Ａを、支軸４０を中心にして反時計回り方向に回動させる。そして、これに伴い突起３６ａを介して、キック側プレート３６Ｂを、支軸４０を中心として、付勢バネ３６ｃの付勢力に抗して反時計回り方向に回動させる。これにより、キック側プレート３６Ｂの係合部３６ｂは、図２に示すように、キック部材６１の回転軌跡内に入り込む。
【００４５】
このとき、前記したキック部材６１が、どの位置にあっても、係合部３６ｂは、デッドポイントを生じさせることなく、回転軌跡内に入り込むことが可能となっている。すなわち、仮に、切換えレバー３１の回動操作時に、係合部３６ｂがキック部材６１に干渉するような位置にあったとしても、係合部３６ｂが回動することでキック部材６１は、ハンドル軸４の周りを、付勢バネ６３の付勢力に抗して時計回り方向に回転させることが可能であるため、デッドポイントを生じさせることはない（従来のように、キック部材６１がハンドル軸４に固定されており、かつハンドル軸４が逆転防止状態にあると、係合部３６ｂが回動できない位置（デッドポイント）が生じる可能性がある）。
【００４６】
上記した切換えレバー３１が、図２に示すように、ＯＦＦにされた状態において、ロータ２が逆転可能状態に設定されていると、魚が掛かった場合など、ハンドル軸４は、図２において、時計回り方向に回転してしまう。このとき、キック部材６１の突起６１ａは、係合部３６ｂに当て付いてキック側プレート３６Ｂを、支軸４０を中心に反時計回り方向に回動させようとする。上記したように、キック側プレート３６Ｂは、突起３６ａの上方側に逃げのスペースＳがあるため、キック側プレート３６Ｂは、付勢バネ３６ｃの付勢力に抗して、キック部材６１の突起６１ａが当接する毎に回動／復帰動作を繰り返すこととなり、切換機構３０や復帰機構６０を損傷させるようなことがない。
【００４７】
そして、図２に示す状態において、ハンドル５を巻取り操作すると、ハンドル軸４は、反時計回り方向に回転駆動され、これに伴い、付勢バネ６３の付勢力に抗して図２で右側の規制部４ａが突部６１ｃの側壁に当て付き、キック部材６１を反時計回り方向に回転させる。これにより、キック部材６１の突起６１ａは、回転軌跡内に位置する係合部３６ｂをキックし、キック側プレート３６Ｂを、支軸４０を中心に時計回り方向に回動させる。
【００４８】
このキック側プレート３６Ｂの回動は、突起３６ａを介して作動体側プレート３６Ａに伝達され、作動体３２を、固定ネジ３１ａを介して反時計回り方向に回動させ、図１に示す状態に自動的に復帰させる。すなわち、作動体３２が図１に示す状態に復帰することで、ストッパ部材３４は、スプリング３８ａによって時計回り方向に回動され、係脱部３４ｂがラチェット３ｂと係合し、再び、スプール３の回転が規制される規制状態に切換えられる。
【００４９】
上記した構成における魚釣用スピニングリールでは、キック部材６１は、従来の特許文献１に開示されているように、ハンドル軸４に対して固定されるのではなく、内部に収容された付勢バネ６３によって回転方向に付勢された状態で、所定角度回転可能に支持されているため、キック部材６１によってキックされる係合部材（キック側プレート３６Ｂの係合部３６ｂ）は、デッドポイントが生じることなく、キック部材６１の回転軌跡内に入り込むことが可能となる。
【００５０】
すなわち、上記したようなキック部材の構成にすることで、ノンデッド機構を構成する部品を、ハンドル軸４の支持部上に集約して配置することができ、これにより、ノンデッド機構の可及的な省スペース化が可能となって、リール本体１を小型化することが可能となる。
【００５１】
また、上記したように、ノンデッド機構を有する復帰機構６０を、ユニット体Ｕとして構成したことにより、取扱い性の向上が図れるようになり、リール本体内へ組み込みする際の作業性の向上が図れるようになる。また、復帰機構は、ハンドル５の回転操作に連動して回転する回転部材上に集約して配置された状態になるため、ノンデッド機構の可及的な省スペース化が可能となり、リール本体を小型化することが可能となる。
【００５２】
さらに、上記した構成のユニット体Ｕは、付勢バネ６３が、ハンドル軸４とキック部材６１との間で、外部に露出しないように組み込まれているため、付勢バネを防塵、防水することができ、これにより、キック部材６１の動作が安定し、耐久性を有する付勢機能が得られるようになる。
【００５３】
図７から図１３は、本発明の第２の実施形態を示す図であり、図７は、魚釣用スピニングリールの内部構成を示す図（ドラグ作動状態；切換えレバーＯＮ）、図８は、図７の主要部を拡大した図（ドラグ非作動状態；切換えレバーＯＦＦ）、図９は、リール本体を上方から見た部分断面図、図１０は、図７のＣ−Ｃ線に沿った断面図、図１１（ａ）は、図１０の主要部の構成を拡大した図、図１１（ｂ）は、ユニット化された復帰機構の構成を示す図、図１２は、図９のＥ−Ｅ方向に沿った断面図、そして、図１３は、図９のＦ−Ｆ線に沿った断面図である。
【００５４】
なお、この実施形態では、上記した第１実施形態と同一の部分については、同一の参照符号を付し、その詳細な説明については省略する。
【００５５】
上記した実施形態における復帰機構は、ハンドル軸４の中心を回転中心として、キック部材６１を所定角度回転可能に支持し、かつ回転方向にバネ付勢したが、本実施形態では、キック部材は、ハンドル軸ではなく、ハンドル軸４に対してオフセットした位置に設置している。
【００５６】
また、本実施形態における切換機構３０は、リール本体１から外部に突出し、回動操作可能な切換レバー（操作部材）３１と、リール本体１内に配設され、切換レバー３１によって回動駆動され、以下のように、２つの部材３２Ａ，３２Ｂで構成される作動体３２と、作動体３２の一端側に係合するストッパ部材３４とを備えている。
【００５７】
前記作動体３２は、支軸となる固定ネジ３１ａを中心に揺動可能に配置される作動プレート３２Ａと、この作動プレート３２Ａと同軸上で駆動歯車側に重なるように回動可能に設置され、後述するキック部材６１の回転軌跡内に入り込むことが可能なキック側プレート３２Ｂとを備えている。
【００５８】
両プレート３２Ａ，３２Ｂの中心支持領域には、フリクションバネ３２Ｃが巻き付くように設置されており、切換えレバー３１が図７に示す位置から矢印方向に回動された際、作動プレート３２Ａの時計回り方向の回動に伴って、キック側プレート３２Ｂも一体的に時計回り方向に回動させるようになっている。すなわち、切換えレバー３１を、図７に示す位置から矢印方向に回動操作することで、図８で示すように、キック側プレート３２Ｂの当接部３２ｅの側部は、作動プレート３２Ａの壁部３２Ａ´に当接されて一体的に回動され、キック側プレート３２Ｂの先端に形成された係合部３２ｄは、図８に示すように、キック部材６１のカム片６１Ａの回転軌跡内に入り込むようになっている。なお、フリクションバネ３２Ｃは、当接部３２ｅの側部が、壁部３２Ａ´に常時当接される方向に付勢している。
【００５９】
また、キック側プレート３２Ｂの固定ネジ３１ａを中心として、係合部３２ｄと反対側には、前記当接部３２ｅが形成されており、切換えレバー３１が回動操作されることで、支軸３８によって回動可能に支持されたストッパ部材３４の当接部３４ａに当接するようになっている。なお、作動体３２の回動動作は、作動プレート３２Ａとリール本体１との間に設置される振り分けバネ３７によって、図７に示す切換えレバーＯＮ状態と、図８に示す切換えレバーＯＦＦ状態に振り分け保持される。
【００６０】
前記切換レバー３１は、図９に示すように、リール本体１の上方側を挟持するように配設され、基端部の両側から一対の固定ネジ３１ａによって回動可能に支持されている。前記一対の固定ネジ３１ａは、両サイドからリール本体内に向けて挿入されており、作動体３２に連結されている。
【００６１】
前記作動体３２のキック側プレート３２Ｂの当接部３２ｅによって回動駆動される前記ストッパ部材３４は、支軸３８を中心として回動可能に軸支されており、一端側に前記当接部３２ｅが当接する当接部３４ａが形成され、他端側に、スプール軸３ａに対して回り止め固定されたラチェット３ｂに対して係脱される係脱部３４ｂが形成されている（図７、図８、図６参照）。
【００６２】
なお、ストッパ部材３４は、支軸３８に装着されるスプリング３８ａによって、係脱部３４ｂが常時、ラチェット３ｂと係合するように付勢されており、前記切換レバー３１をＯＦＦ状態に回動することで、前記作動体３２によって、スプリング３８ａの付勢力に抗して回動され、ラチェット３ｂから離脱する（図８参照）。
【００６３】
また、本実施形態における復帰機構６０は、ハンドル軸４に対してオフセットした位置に設置されたキック部材６１を具備している。このキック部材６１は、ハンドル５の回転操作に連動して回転する連結ギヤ（回転部材）７２の中心を回転中心として所定角度回転可能に支持されており、回転方向にバネ付勢された状態となっている。具体的に、キック部材６１は、ハンドル軸４と一体化された駆動歯車７と並設されたギヤ７０を介して回転される連結ギヤ７２に装着されている。
【００６４】
前記連結ギヤ７２は、ギヤ７０を有するハンドル軸４に対してオフセットしたリール脚側で噛合するようにリール本体１に回転可能に支持されており、回転中心部分にカラー７３を介在させ、そのカラー７３を貫通するように嵌入して、リール本体１のハンドル側の側板に螺入される固定ネジ７５によって回転可能に支持されている。
【００６５】
そして、前記ギヤ７０と連結ギヤ７２の設置箇所は、キック部材６１の配置態様に影響を及ぼすことから、できるだけリール本体１が薄型でコンパクト化できるように設定される。すなわち、図９に示すように、ギヤ７０と連結ギヤ７２の噛合部の中心（噛合部の歯幅方向の中心）となる部分（ラインＸで示す線上に位置する）は、スプール軸３ａ（ピニオンギヤ９）の回転中心（ラインＸ１で示すピニオンギヤ９の軸心）に対して、駆動歯車７側となるように設定される。
【００６６】
ここで、連結ギヤ７２に対する前記キック部材６１の支持態様について説明する。
【００６７】
前記連結ギヤ７２の駆動歯車と反対側の表面には、図１２に示すように、略１８０°間隔で、以下の環状凹所６２Ａ内に位置する突片７３ａ，７３ｂが形成されている。一方、前記キック部材６１には、連結ギヤ７２の外周側表面に面接するように環状部６２が形成されており、前記カラー７３との間に環状凹所６２Ａを形成している。前記環状部６２の内周面には、弧状に形成された突部６２ａと、前記突片７３ａ，７３ｂ間に位置する突部６２ｂが形成されており、前記突片７３ａと突部６２ｂと間には付勢バネ７７が介在されて、キック部材６１を回転方向（図１２の時計回り方向）に付勢している。これにより、キック部材６１は、連結ギヤ７２の中心部に位置するカラー７３の周りを、所定の角度で回転可能であると共に、付勢バネ７７によって回転方向に付勢された状態で支持されており、この付勢バネ７７の付勢力の作用によって各部材間に若干の摩擦保持力が生じ、カラー７３の回りに、キック部材６１、付勢バネ７７、連結ギヤ７２等がユニット化した状態で保持される。
【００６８】
また、前記キック部材６１には、図１３に示すように、略１８０°間隔で一対のカム片６１Ａが形成されており、このカム片６１Ａには、前記キック側プレート３２Ｂに形成された係合部３２ｄが係合可能になっている。すなわち、キック側プレート３２Ｂの係合部３２ｄは、前記切換えレバー３１の回転操作に伴って、カム片６１Ａの回転軌跡内に入り込み、カム片６１Ａと係合可能な状態となる。従って、キック部材６１によってキックされる係合部材（キック側プレート３２Ｂの係合部３２ｄ）は、カム片６１Ａが回転方向へ移動できることでデッドポイントが生じることなく、キック部材６１の回転軌跡内に入り込むことが可能となる。
【００６９】
図１１（ａ），（ｂ）に示すように、ハンドル５の回転操作と共に連動する回転部材である連結ギヤ７２は、カラー７３に装着されており、キック部材６１、及び連結ギヤ７２とキック部材６１との間に設けられ、キック部材６１を回転方向にバネ付勢する付勢バネ７７と共に、予めユニット体Ｕとして構成されている。具体的に、このユニット体Ｕは、カラー７３に対して上記した連結ギヤ７２、キック部材６１及び付勢バネ７７を組み付けることで一体化されており、図１１（ｂ）に示すように、このユニット体Ｕは、リール本体１のハンドル側の側板内面に予め形成された凹所１Ｂに対して、固定ネジ７５を螺入することで、復帰機構として設置されるようになっている。尚、ユニット化の方法は、上述の付勢バネ７７の付勢力の作用による摩擦保持力を利用する以外に、カラー７３に、キック部材６１と連結ギヤ７２を装着後、止め輪で止めて一体化しても良い。
【００７０】
また、上記した構成のユニット体Ｕは、図１１（ｂ）に示すように、付勢バネ７７は、連結ギヤ７２とキック部材６１との間で、外部に露出しないように組み込まれている。
【００７１】
以上のように構成される魚釣用スピニングリールの作用について説明する。
【００７２】
上記した実施形態と同様、図１に示す状態から切換えレバー３１を矢印方向に回動操作すると、作動体３２を構成する作動プレート３２Ａは、固定ネジ３１ａを中心として時計回り方向に回動し、これに伴い、キック側プレート３２Ｂも時計回り方向に回動され、先端の係合部３２ｄは、図８に示すように、カム片６１Ａの回転軌跡内に入り込む。
【００７３】
このとき、前記したキック部材６１が、どの位置にあっても、係合部３２ｄは、デッドポイントを生じさせることなく、回転軌跡内に入り込むことが可能となっている。すなわち、仮に、切換えレバー３１の回動操作時に、係合部３２ｄがキック部材６１（カム片６１Ａ）に干渉するような位置にあったとしても、係合部３２ｄが回動することでキック部材６１は、カラー７３の周りを、付勢バネ７７の付勢力に抗して反時計回り方向に回転させることが可能であるため、デッドポイントを生じさせることはない。
【００７４】
また、キック側プレート３２Ｂの時計回り方向への回動により、当接部３２ｅは、ストッパ部材３４の当接部３４ａに当接し、ストッパ部材３４をスプリング３８ａの付勢力に抗して反時計回り方向に回動させる。これにより、他端に形成された係脱部３４ｂは、スプール軸３ａに対して回り止め固定されたラチェット３ｂから離脱し、スプール軸３ａは、フリー回転可能な状態になる。
【００７５】
この状態で、スプール３は完全なフリー状態となるため、魚が掛かった際、そのまま釣糸を引き出して行くことが可能となる。なお、この状態では、上記したサブドラグ機構２０の調節ネジ２１を回転操作することで、スプール３の回転に対して補助的にドラグ力を作用させることが可能となっている。
【００７６】
ここで、上記した切換えレバー３１が、図８に示すように、ＯＦＦにされた状態において、ロータ２が逆転可能状態に設定されていると、魚が掛かった場合など、ハンドル軸４は、図８において、時計回り方向に回転してしまう。このとき、キック部材６１のカム片６１Ａは、ギヤ７０及び連結ギヤ７２の噛合関係により反時計回り方向に回転して、キック側プレート３２Ｂの係合部に当て付き、キック側プレート３２Ｂを、固定ネジ３１ａを中心として時計回り方向に回動させようとする。上記したように、キック側プレート３２Ｂは、フリクションバネ３２Ｃの摩擦力によって、作動プレート３２Ａに対して逃げることが可能となっているため、切換機構３０や復帰機構６０を損傷させることがない。
【００７７】
そして、図８に示す状態において、ハンドル５を巻取り操作すると、ギヤ７０は反時計回り方向に回転し、連結ギヤ７２は、時計回り方向に回転する。これに伴い、キック部材６１のカム片６１Ａは、キック側プレート３２Ｂの係合部３２ｄに当て付き、さらに、連結ギヤ７２の時計回り方向の回転により、前記連結ギヤ７２に形成された突片７３ｂが、付勢バネ７７の付勢力に抗して図１２に示す突部６２ａの壁部６２ａ´に当て付いて、キック部材６１を時計回り方向に回転させる。これにより、キック側プレート３２Ｂは、当接しているカム片６１Ａを介して反時計回り方向に回動される。
【００７８】
このキック側プレート３２Ｂの回動は、フリクションバネ３２Ｃを介して作動プレート３２Ａに伝達され、切換えレバー３１を、固定ネジ３１ａを介して反時計回り方向に回動させ、図７に示す状態に自動的に復帰させる。これにより、ストッパ部材３４は、スプリング３８ａによって時計回り方向に回動され、係脱部３４ｂがラチェット３ｂと係合し、再び、スプール３の回転が規制される規制状態に切換えられる。
【００７９】
上記した構成における魚釣用スピニングリールでは、復帰機構６０を構成する復帰用のキック部材６１を、連結ギヤ７２の中心部分において、回転方向にバネ付勢した状態で支持した構成としているため、いわゆるノンデッド機構を構成する部品を、回転部材である連結ギヤ７２の支持部上に集約して配置することができ、これにより、ノンデッド機構の可及的な省スペース化が可能となって、リール本体１を小型化することが可能となる。
【００８０】
そして、前記ギヤ７０と連結ギヤ７２の噛合部の中心（ラインＸで示す）が、ピニオンギヤ９の軸心Ｘ１よりも駆動歯車７側になるように配置したことで、キック部材６１を駆動歯車７の歯面７ａ側に近接配置することが可能となり、リール本体の可及的な薄型化・コンパクト化及び軽量化が可能になる。
【００８１】
特に、本実施形態では、駆動歯車７によって回転されるギヤ７０を、駆動歯車７の歯部７ａに対して径方向内方に設置しているため、ギヤ７０及び連結ギヤ７２を限られたスペース内で効率的に設置することができ、リール本体の、より可及的な薄型化・コンパクト化及び軽量化を図ることが可能になる。
【００８２】
また、上記したように、ノンデッド機構を有する復帰機構６０を、ユニット体Ｕとして構成したことにより、取扱い性の向上が図れるようになり、リール本体内へ組み込みする際の作業性の向上が図れるようになる。特に、復帰機構は、ハンドル５の回転操作に連動して回転する回転部材（連結ギヤ７２）上に集約して配置された状態になるため、ノンデッド機構の可及的な省スペース化が可能となり、リール本体を小型化することが可能となる。
【００８３】
さらに、上記した構成のユニット体Ｕは、付勢バネ７７が、連結ギヤ７２とキック部材６１との間で、外部に露出しないように組み込まれているため、付勢バネを防塵、防水することができ、これにより、キック部材６１の動作が安定し、耐久性を有する付勢機能が得られるようになる。
【００８４】
以上、本発明の実施形態について説明したが、本発明は、上記した実施形態に限定されることはなく、種々変形することが可能である。本発明は、上述したように、ハンドルの回転によって回転する回転部材に対して、キック部材、及びこのキック部材を回転方向にバネ付勢するバネ部材がユニット体として一体化されていれば良く、それ以外の構成については適宜変形することが可能である。
【００８５】
また、ユニット体Ｕとしてバネ部材（付勢バネ）と共に組み込まれるキック部材については、回転部材である駆動軸の外周、駆動軸を支持するリール本体の支持部外周、カラーの外周等に、所定角度回転可能で、かつ回転方向にバネ付勢された状態となっていれば良い。また、上記した第２の実施形態の構成では、キック部材６１は、連結ギヤ７２の中心部分において、リール本体１に対して固定ネジ７５を介して圧入固定されるカラー７３上に、所定角度回転可能で、かつ付勢バネ７７によって、回転方向にバネ付勢するように支持したが、キック部材６１は、連結ギヤ７２に対して所定角度回転可能で、両者の間に設置される付勢バネによって、直接、回転方向にバネ付勢する構成であっても良い。更にまた、キック部材６１を、連結ギヤ７２と一体回転するように一体化しても良い。
【００８６】
さらに、本発明は、魚釣用スピニングリールにおいて、ドラグ作動状態と非作動状態を切換える切換機構の内、ハンドルの巻取り操作によって、初期位置に自動復帰させる復帰機構の部分（ノンデッド機構）に特徴があり、それ以外の構成については、適宜変形することが可能である。このため、例えば、リヤドラグ方式の魚釣用スピニングリールについても適用することが可能である。
【図面の簡単な説明】
【００８７】
【図１】本発明の第１の実施形態を示す図であり、魚釣用スピニングリールの内部構成を示す図（ドラグ作動状態；切換えレバーＯＮ）。
【図２】図１の主要部を拡大した図（ドラグ非作動状態；切換えレバーＯＦＦ）。
【図３】リール本体を上方から見た部分断面図。
【図４】図２のＡ−Ａ方向に沿った部分断面図。
【図５】図４の主要部を示す図であり、ユニット化された復帰機構の構成を示す図。
【図６】図１のＢ−Ｂ方向に沿った部分断面図。
【図７】本発明の第２の実施形態を示す図であり、魚釣用スピニングリールの内部構成を示す図（ドラグ作動状態；切換えレバーＯＮ）。
【図８】図７の主要部を拡大した図（ドラグ非作動状態；切換えレバーＯＦＦ）。
【図９】リール本体を上方から見た部分断面図。
【図１０】図７のＣ−Ｃ線に沿った断面図。
【図１１】（ａ）は、図１０の主要部の構成を拡大した図、（ｂ）は、ユニット化された復帰機構の構成を示す図。
【図１２】図９のＥ−Ｅ方向に沿った断面図。
【図１３】図９のＦ−Ｆ線に沿った断面図。
【符号の説明】
【００８８】
１  リール本体
２  ロータ
３  スプール
４  ハンドル軸（回転部材）
５  ハンドル
７  駆動歯車
１７  ドラグ機構
２０  サブドラグ機構
３０  切換機構
３１  切換えレバー（操作部材）
６０  復帰機構
６１  キック部材
６３，７７  付勢バネ（バネ部材）
７２  連結ギヤ（回転部材）
Ｕ  ユニット体
【図１】
2008289387.tif 000003
【図２】
2008289387.tif 000004
【図３】
2008289387.tif 000005
【図４】
2008289387.tif 000006
【図５】
2008289387.tif 000007
【図６】
2008289387.tif 000008
【図７】
2008289387.tif 000009
【図８】
2008289387.tif 000010
【図９】
2008289387.tif 000011
【図１０】
2008289387.tif 000012
【図１１】
2008289387.tif 000013
【図１２】
2008289387.tif 000014
【図１３】
2008289387.tif 000015